(57)【特許請求の範囲】
【請求項１】
ページ単位で構成された文書を示す文書データを記憶した記憶手段と、
前記文書データにより示される文書を表示するための表示手段と、
前記表示手段により表示される文書の表示部分の移行を指示する移行指示を受け付ける受付手段と、
前記記憶手段により記憶された前記文書データにより示される文書のレイアウトを解析して当該文書の各ページに含まれる文書構成要素の領域を特定する特定手段と、
前記受付手段により前記移行指示が受け付けられる毎に、前記記憶手段により記憶された前記文書データにより示される文書を、ページ順に、予め定められた領域毎に個別に前記表示手段に表示させる制御を行なうと共に、前記受付手段により前記移行指示が受け付けられる毎に、前記記憶手段により記憶された前記文書データにより示される文書を、ページ順に、前記特定手段により特定された文書構成要素の領域に区分けした各領域毎に個別に前記表示手段に表示させる制御を行なう制御手段と、
を備えた情報処理装置。
【請求項２】
前記受付手段は、前記文書データにより示される文書の各ページにおいて前記表示手段に個別に表示させる領域を区分けする区分方法を指定する区分指定をさらに受け付け、
前記制御手段は、前記受付手段により前記移行指示が受け付けられる毎に、前記記憶手段により記憶された前記文書データにより示される文書を、ページ順に、前記受付手段により受け付けられた前記区分指定によって指定された区分方法で区分けした各領域毎に個別に前記表示手段に表示させる制御を行なう
請求項１記載の情報処理装置。
【請求項３】
前記受付手段は、前記文書データにより示される文書の向き、当該文書の各ページの区分方法、及び区分けした各領域の表示順序の少なくとも１つが異なる予め定められた複数の区分パターンから選択的に区分指定を受け付け、
前記制御手段は、前記受付手段により前記移行指示が受け付けられる毎に、前記記憶手段により記憶された前記文書データにより示される文書を、ページ順に、前記受付手段により受け付けられた前記区分指定によって指定された前記区分パターンの区分方法で区分けした各領域毎に、当該区分パターンの表示順序かつ文書の向きで個別に前記表示手段に表示させる制御を行なう
請求項２記載の情報処理装置。
【請求項４】
前記制御手段は、前記複数の区分パターンにそれぞれ対応する複数のアイコンを前記表示手段に表示させ、
前記受付手段は、前記表示手段により表示された複数のアイコンから選択されることにより区分指定を受け付ける
請求項３記載の情報処理装置。
【請求項５】
前記制御手段は、選択されたアイコンを前記表示手段に表示させる制御を行なう
請求項４記載の情報処理装置。
【請求項６】
前記特定手段は、前記文書データにより示される文書における所定サイズ以上の空白領域を境界としてレイアウトを解析して前記文書構成要素の領域を特定する
請求項１記載の情報処理装置。
【請求項７】
前記制御手段は、前記特定手段により特定された文書構成要素の領域が１のページに複数ある場合、前記複数の領域のうち上辺の位置が上側に位置する領域から順に前記表示手段に表示させる制御を行い、かつ上辺が同じ位置に位置する領域が複数ある場合は左辺の位置が左側に位置する領域から順に前記表示手段に表示させる制御を行う
請求項１又は６記載の情報処理装置。
【請求項８】
前記受付手段は、前記文書データにより示される文書の前記文書構成要素の境界を指定する境界指定をさらに受け付け、
前記制御手段は、前記受付手段により前記移行指示が受け付けられる毎に、前記記憶手段により記憶された前記文書データにより示される文書を、ページ順に、前記受付手段により受け付けられた前記境界指定によって指定された境界で区分けした各領域毎に個別に前記表示手段に表示させる制御を行なう
請求項２記載の情報処理装置。
【請求項９】
前記制御手段は、前記領域を個別に表示可能な領域全体に拡大して前記表示手段に表示させる制御を行なう
請求項１〜請求項８の何れか１項記載の情報処理装置。
【請求項１０】
記録用紙を読み取って当該記録用紙に記録された文書を示す文書データを取得する取得手段をさらに備え、
前記記憶手段は、前記取得手段により取得された文書データを記憶する
請求項１〜請求項９の何れか１項記載の情報処理装置。
【請求項１１】
表示手段により表示される文書の表示部分の移行を指示する移行指示の受け付け待ちを行なう指示待ちステップと、
記憶手段により記憶された文書データにより示される文書のレイアウトを解析して当該文書の各ページに含まれる文書構成要素の領域を特定する特定ステップと、
前記移行指示が受け付けられる毎に、記憶手段に記憶された文書データにより示されるページ単位で構成された文書を、ページ順に、予め定められた領域毎に個別に前記表示手段に表示させる制御を行なうと共に、前記移行指示が受け付けられる毎に、前記記憶手段に記憶された文書データにより示されるページ単位で構成された文書を、ページ順に、前記特定ステップにより特定された文書構成要素の領域に区分けした各領域毎に個別に前記表示手段に表示させる制御を行なう表示制御ステップと、
をコンピュータに実行させる文書閲覧プログラム。
【発明の詳細な説明】
【技術分野】
【０００１】
この発明は、情報処理装置及び文書閲覧プログラムに関する。
【背景技術】
【０００２】
従来、プリンタやコピー機、デジタル複合機等の画像形成装置では、文書データにより示される文書の複数ページを１枚の記録用紙に割り付けするＮ−ＵＰ印刷（例えば、文書の２ページを１枚の記録用紙に割り付けする２−ＵＰ印刷。）が行なわれる場合がある。
【０００３】
このＮ−ＵＰ印刷された記録用紙をスキャナ等によって読み取って電子化した場合、元の文書の複数ページ分の情報が１ページ分の情報とされた文書データが生成される。
【０００４】
ユーザが、この記録用紙を読み取って生成された文書データにより示される文書の各ページの画像を、例えば、パーソナル・コンピュータ（以下、「ＰＣ」という。）のディスプレイに表示させて閲覧した場合、元の文書の複数ページ分の情報が１ページ分の情報として表示されるため、文字が小さく表示されて見づらい表示となる。図１７には、例えば、２−ＵＰ印刷された記録用紙の画像を表示させた一例が示されている。
【０００５】
そこで、ディスプレイに文書データにより示される文書の画像を拡大表示させると、文字が大きく表示されるため、文書の閲覧が行い易くなる。図１８（Ａ）には、例えば、２−ＵＰ印刷された元の文書の１ページ目を拡大表示させた一例が示されている。
【０００６】
しかし、文書を読み進むにあたり、ページ送りを指定すると、図１８（Ｂ）に示すように、読み取った記録用紙のページ単位でページ送りがされてしまい、元の文書のページ単位でページ送りができない。このため、文書の表示部分をスクロールさせて次ページ部分を表示させたり、あるいは、一旦記録用紙１枚分の画像が表示されるように表示倍率を変更してページ送りする等の操作をユーザに強いることになっていた。
【０００７】
なお、特許文献１には、電子書籍において、文書に区切情報を埋込み、区切情報単位で文書を表示させる技術が開示されている。
【特許文献１】特開２００５−５６０４２号公報
【発明の開示】
【発明が解決しようとする課題】
【０００８】
本発明は、文書データにより示される文書の各ページの閲覧性を向上させることができる情報処理装置及び文書閲覧プログラムを提供することを目的とする。
【課題を解決するための手段】
【０００９】
請求項１に記載の発明の情報処理装置は、ページ単位で構成された文書を示す文書データを記憶した記憶手段と、前記文書データにより示される文書を表示するための表示手段と、前記表示手段により表示される文書の表示部分の移行を指示する移行指示を受け付ける受付手段と、前記記憶手段により記憶された前記文書データにより示される文書のレイアウトを解析して当該文書の各ページに含まれる文書構成要素の領域を特定する特定手段と、前記受付手段により前記移行指示が受け付けられる毎に、前記記憶手段により記憶された前記文書データにより示される文書を、ページ順に、予め定められた領域毎に個別に前記表示手段に表示させる制御を行なうと共に、前記受付手段により前記移行指示が受け付けられる毎に、前記記憶手段により記憶された前記文書データにより示される文書を、ページ順に、前記特定手段により特定された文書構成要素の領域に区分けした各領域毎に個別に前記表示手段に表示させる制御を行なう制御手段と、を備えている。
【００１０】
また、請求項２に記載の発明は、請求項１に記載の発明において、前記受付手段が、前記文書データにより示される文書の各ページにおいて前記表示手段に個別に表示させる領域を区分けする区分方法を指定する区分指定をさらに受け付け、前記制御手段が、前記受付手段により前記移行指示が受け付けられる毎に、前記記憶手段により記憶された前記文書データにより示される文書を、ページ順に、前記受付手段により受け付けられた前記区分指定によって指定された区分方法で区分けした各領域毎に個別に前記表示手段に表示させる制御を行なうものである。
【００１１】
また、請求項３に記載の発明は、請求項２に記載の発明において、前記受付手段が、前記文書データにより示される文書の向き、当該文書の各ページの区分方法、及び区分けした各領域の表示順序の少なくとも１つが異なる予め定められた複数の区分パターンから選択的に区分指定を受け付け、前記制御手段が、前記受付手段により前記移行指示が受け付けられる毎に、前記記憶手段により記憶された前記文書データにより示される文書を、ページ順に、前記受付手段により受け付けられた前記区分指定によって指定された前記区分パターンの区分方法で区分けした各領域毎に、当該区分パターンの表示順序かつ文書の向きで個別に前記表示手段に表示させる制御を行なうものである。
【００１２】
また、請求項４に記載の発明は、請求項３に項記載の発明において、前記制御手段が、前記複数の区分パターンにそれぞれ対応する複数のアイコンを前記表示手段に表示させ、前記受付手段が、前記表示手段により表示された複数のアイコンから選択されることにより区分指定を受け付けるものである。
【００１３】
また、請求項５に記載の発明は、請求項４に項記載の発明において、前記制御手段が、選択されたアイコンを前記表示手段に表示させる制御を行なうものである。
【００１４】
また、請求項６に記載の発明は、請求項１に記載の発明において、前記特定手段は、前記文書データにより示される文書における所定サイズ以上の空白領域を境界としてレイアウトを解析して前記文書構成要素の領域を特定するものである。
【００１５】
また、請求項７に記載の発明は、請求項１又は６に記載の発明において、前記制御手段は、前記特定手段により特定された文書構成要素の領域が１のページに複数ある場合、前記複数の領域のうち上辺の位置が上側に位置する領域から順に前記表示手段に表示させる制御を行い、かつ上辺が同じ位置に位置する領域が複数ある場合は左辺の位置が左側に位置する領域から順に前記表示手段に表示させる制御を行うものである。
【００１６】
また、請求項８に記載の発明は、請求項２に項記載の発明において、前記受付手段が、前記文書データにより示される文書の前記文書構成要素の境界を指定する境界指定をさらに受け付け、前記制御手段が、前記受付手段により前記移行指示が受け付けられる毎に、前記記憶手段により記憶された前記文書データにより示される文書を、ページ順に、前記受付手段により受け付けられた前記境界指定によって指定された境界で区分けした各領域毎に個別に前記表示手段に表示させる制御を行なうものである。
【００１７】
また、請求項９に記載の発明は、請求項１〜請求項８に項記載の発明において、前記制御手段が、前記領域を個別に表示可能な領域全体に拡大して前記表示手段に表示させる制御を行なうものである。
【００１８】
また、請求項１０に記載の発明は、請求項１〜請求項９に項記載の発明において、記録用紙を読み取って当該記録用紙に記録された文書を示す文書データを取得する取得手段をさらに備え、前記記憶手段が、前記取得手段により取得された文書データを記憶するものである。
【００１９】
一方、請求項１１に記載の発明の文書閲覧プログラムは、表示手段により表示される文書の表示部分の移行を指示する移行指示の受け付け待ちを行なう指示待ちステップと、
記憶手段により記憶された文書データにより示される文書のレイアウトを解析して当該文書の各ページに含まれる文書構成要素の領域を特定する特定ステップと、前記移行指示が受け付けられる毎に、記憶手段に記憶された文書データにより示されるページ単位で構成された文書を、ページ順に、予め定められた領域毎に個別に前記表示手段に表示させる制御を行なうと共に、前記移行指示が受け付けられる毎に、前記記憶手段に記憶された文書データにより示されるページ単位で構成された文書を、ページ順に、前記特定ステップにより特定された文書構成要素の領域に区分けした各領域毎に個別に前記表示手段に表示させる制御を行なう表示制御ステップと、を含んでいる。
【発明の効果】
【００２０】
請求項１及び請求項１１に記載の発明によれば、文書データにより示される文書が、ページ順に、予め定められた領域毎に個別に表示されるので、文書データにより示される文書の各ページの閲覧性を向上させることができる、という優れた効果を有する。
【００２１】
また、請求項２に記載の発明によれば、指定された区分方法で区分けした各領域毎に個別に表示されるので、文書に応じた区分方法を指定することにより各領域の閲覧性が向上する、という優れた効果を有する。
【００２２】
また、請求項３に記載の発明によれば、複数の区分パターンから選択的に区分指定ができるので、区分方法の指定が容易になる、という優れた効果を有する。
【００２３】
また、請求項４に記載の発明によれば、アイコンによって区分指定ができるため、区分方法の指定が容易になる、という優れた効果を有する。
【００２４】
また、請求項５に記載の発明によれば、文書の閲覧中も表示されるアイコンによって選択した区分指定を識別するこができる、という優れた効果を有する。
【００２５】
また、請求項６に記載の発明によれば、容易に文書構成要素を特定することができる、という優れた効果を有する。
【００２６】
また、請求項７に記載の発明によれば、特定された文書構成要素の領域が１のページに複数ある場合に、所定の順序で当該複数の文書構成領域を表示できるという優れた効果を有する。
【００２７】
また、請求項８に記載の発明によれば、ユーザが境界を指定して各文書構成要素を表示させることができるため、文書の各ページの閲覧性が向上する、という優れた効果を有する。
【００２８】
また、請求項９に記載の発明によれば、領域が表示可能な領域全体に拡大して表示されるため、閲覧性が向上する、という優れた効果を有する。
【００２９】
さらに、請求項１０に記載の発明によれば、記録用紙を読み取っることにより閲覧対象とする文書データを取得することができる、という優れた効果を有する。
【発明を実施するための最良の形態】
【００３０】
以下、図面を参照して、本発明の実施の形態について詳細に説明する。なお、本実施の形態では、本発明をＰＣに適用した場合を例として説明する。
【００３１】
図１に示すように、本実施の形態に係るＰＣ１０は、デジタル複合機２２とネットワーク２０を介して接続されており、当該ネットワーク２０を介してデジタル複合機２２と通信可能とされている。
【００３２】
ＰＣ１０は、各種情報を表示するディスプレイ１２と、ディスプレイ１２に表示された画像の画面上での位置をポインティング指示するマウス１４Ａと、文字情報等の入力を行うキーボード１４Ｂと、マウス１４Ａやキーボード１４Ｂを介した指示入力に応じた各種処理を行うと共にディスプレイ１２を制御する役割を有するコンピュータ本体１６と、を有している。
【００３３】
一方、デジタル複合機２２は、所定の読込位置に置かれた記録用紙から当該記録用紙に印刷された文書を読み込み、当該文書を示す文書データを取得するスキャナ２４と、各々異なるサイズの用紙が収納された給紙トレイ２５と、スキャナ２４から取得した文書データやネットワーク２０を介してＰＣ１０から受信した文書データに基づいて何れかの給紙トレイ２５から１枚ずつ記録用紙を取り出して当該記録用紙に対して印刷を行う装置本体２６と、操作メニューやメッセージ等を表示すると共に表面に透過型のタッチパネルが一体的に設けられたタッチパネル・ディスプレイ２８と、を有している。
【００３４】
本実施の形態に係るデジタル複合機２２は、文書データにより示されるページ単位で構成された文書の複数ページを１枚の記録用紙に割り付けするＮ−ＵＰ印刷を行なうことが可能とされている。また、デジタル複合機２２は、スキャナ２４によって記録用紙を読み取って当該記録用紙に印刷された文書を電子化した文書データが生成することが可能とされている。
【００３５】
図２には、本実施の形態に係るＰＣ１０の概略構成が示されている。
【００３６】
同図に示されるように、ＰＣ１０は、ＰＣ１０全体の動作を司るＣＰＵ（中央処理装置）４０と、ＰＣ１０の電源をオンした際の起動動作を制御するブートプログラムや各種パラメータ情報等が予め記憶されたＲＯＭ４２と、各種プログラムの実行時にワークエリア等として用いられるＲＡＭ４４と、上記ブートプログラムにより起動されて装置全体の動作を制御するオペレーティング・システム（以下、「ＯＳ」という。）６０や当該ＯＳ６０から文書データを閲覧する際に実行される文書閲覧プログラム６２等の各種プログラム等が記憶されたハードディスク・ドライブ（以下、「ＨＤＤ」という。）４６と、マウス１４Ａやキーボード１４Ｂを介した各情報が入力される操作入力部４８と、ディスプレイ１２に対する各種情報の表示を制御するディスプレイ制御部５０と、コネクタ５２Ａを介してネットワーク２０に接続された外部装置との間でデータの送受信を行うネットワークＩ／Ｆ（インタフェース）部５２と、を備えている。
【００３７】
ＣＰＵ４０、ＲＯＭ４２、ＲＡＭ４４、ＨＤＤ４６、操作入力部４８、ディスプレイ制御部５０及びネットワークＩ／Ｆ部５２は、システムバスＢＵＳを介して相互に接続されている。従って、ＣＰＵ４０は、ＲＯＭ４２、ＲＡＭ４４、ＨＤＤ４６へのアクセスと、マウス１４Ａやキーボード１４Ｂに対するユーザの操作による指示内容の把握と、ディスプレイ制御部５０を介したディスプレイ１２への各種情報の表示と、ネットワークＩ／Ｆ部５２を介してネットワーク２０に接続された外部装置との間のデータの送受信と、を各々行うことができる。
【００３８】
次に、本実施の形態に係るＰＣ１０の作用を説明する。
【００３９】
デジタル複合機２２では、文書データにより示される文書の複数ページを１枚の記録用紙に割り付けするＮ−ＵＰ印刷が行なわれる場合があり、このＮ−ＵＰ印刷された記録用紙をスキャナ２４によって読み取って電子化した場合、元の文書の複数ページ分の情報が１ページ分の情報とされた文書データが生成される。デジタル複合機２２は、ユーザによってタッチパネル・ディスプレイ２８に対して所定の操作が行なわれることにより、生成された文書データをネットワーク２０を介してＰＣ１０へ送信する。ＰＣ１０では、受信した文書データをＨＤＤ４６に記憶させる。
【００４０】
ユーザは、ＨＤＤ４６に記憶された文書データを閲覧する場合、マウス１４Ａやキーボード１４Ｂを用いて閲覧対象とする文書データを指定すると共に、文書の閲覧を指示する所定操作を行なう。
【００４１】
ＰＣ１０では、マウス１４Ａやキーボード１４Ｂを用いて文書の閲覧を指示する所定操作が行われると、ＯＳ６０の制御の下で、文書閲覧プログラム６２がＨＤＤ４６から読み出されてＣＰＵ４０によって実行される。
【００４２】
図３は、このときＣＰＵ４０によって実行される文書閲覧プログラムの処理の流れを示すフローチャートであり、当該プログラムは、ＨＤＤ４６の所定の領域に予め記憶されている。
【００４３】
同図のステップ１００では、ディスプレイ１２に区分パターン選択画面７０を表示させる。
【００４４】
図４には、区分パターン選択画面７０の表示状態例が示されている。
【００４５】
同図に示すように、区分パターン選択画面７０には、文書データにより示される文書の向き、当該文書の各ページの区分方法、及び区分けした各領域の表示順序の少なくとも１つが異なる予め定められた複数の区分パターンにそれぞれ対応する複数のアイコン７２（本実施の形態ではアイコン７２Ａ〜７２Ｄ）が設けられている。本実施の形態では、アイコン７２Ａは、縦向き記録用紙に２−ＵＰ印刷がなされた場合に対応して文書データにより示される文書の各ページを縦方向に２つの領域を区分けする区分方法を指定するものであり、アイコン７２Ｂは、横向き記録用紙に２−ＵＰ印刷がなされた場合に対応して文書データにより示される文書の各ページを横方向に２つの領域を区分けする区分方法を指定するものであり、アイコン７２Ｃは、縦向き記録用紙に４−ＵＰ印刷がなされた場合に対応して文書データにより示される文書の各ページを縦横方向に４つの領域を区分けする区分方法を指定するものであり、アイコン７２Ｄは、横向き記録用紙に４−ＵＰ印刷がなされた場合に対応して文書データにより示される文書の各ページを縦横方向に４つの領域を区分けする区分方法を指定するものである。なお、各アイコン７２に示される矢印は区分けされた各領域の表示順序を示している。
【００４６】
また、区分パターン選択画面７０には、文書データにより示される文書のレイアウトを解析して当該文書の各ページに含まれる文書構成要素の領域を特定して区分けすることを指定するカスタムモードアイコン７４が設けられている。
【００４７】
図３のステップ１０２では、区分パターン選択画面７０の何れかのアイコンの選択待ちを行なう。
【００４８】
ステップ１０４では、閲覧対象とされた文書データをＨＤＤ４６から読み出す。なお、本実施の形態では、区分パターン選択画面７０の何れかのアイコンの選択後に文書データをＨＤＤ４６から読み出すものとしたが、区分パターン選択画面７０を表示させる前に読み出すものとしてもよい。
【００４９】
次のステップ１０６では、区分パターン選択画面７０において選択されたアイコンがカスタムモードアイコン７４であるか否かを判定し、肯定判定となった場合はステップ１１０へ移行する一方、否定判定となった場合はステップ１０８へ移行する。
【００５０】
ステップ１０８では、上記ステップ１０４において読み出した文書データにより示される文書の各ページを、区分パターン選択画面７０において選択されたアイコンの区分方法で区分けし、１ページ目の区分けした各領域のうち選択されたアイコン７２により指定された表示順序で最初の領域を表示した閲覧文書表示画面８０、及び文書の表示部分の移行を指示するページ送り画面９０をディスプレイ１２に表示させる。
【００５１】
図５には、閲覧文書表示画面８０及びページ送り画面９０の表示状態例が示されている。
【００５２】
同図に示すように、閲覧文書表示画面８０には、区分方法で区分けされた領域が個別に表示される表示領域８２、及び閲覧の終了を指示する終了ボタン８４が備えられている。なお、表示領域８２には区分けされた領域を表示可能な領域全体にできるだけ拡大して表示させることが好ましい。
【００５３】
また、ページ送り画面９０には、文書の表示部分を次に領域に移行させることを指示する次ページボタン９２、文書の表示部分を１つ前の領域に移行させることを指示する前ページボタン９４、上記区分パターン選択画面７０において選択されたアイコンを表示する選択アイコン表示部９６が備えられている。
【００５４】
例えば、文書データにより示される文書が図６に示すように２−ＵＰ印刷されたことにより２ページ分の文書を含むものであり、アイコン７２Ａが選択された場合、図７（Ａ）に示すように、区分パターン選択画面７０の表示領域８２には文書データにより示される文書の１枚目の上側に位置する領域（２−ＵＰ印刷された１ページ目部分の領域）が表示され、ページ送り画面９０の選択アイコン表示部９６にはアイコン７２Ａが表示される。
【００５５】
また、例えば、文書データにより示される文書が図８に示すように２−ＵＰ印刷されたことにより２ページ分の文書を含むものであり、アイコン７２Ｂが選択された場合、図９（Ａ）に示すように、区分パターン選択画面７０の表示領域８２には文書データにより示される文書の１枚目の左側に位置する領域（２−ＵＰ印刷された１ページ目部分の領域）が表示され、ページ送り画面９０の選択アイコン表示部９６にはアイコン７２Ｂが表示される。
【００５６】
さらに、例えば、文書データにより示される文書が図１０に示すように２つの画像Ａ、Ｂが印刷されものであり、アイコン７２Ａが選択された場合、図１１（Ａ）に示すように、区分パターン選択画面７０の表示領域８２には画像Ａが表示され、ページ送り画面９０の選択アイコン表示部９６にはアイコン７２Ａが表示される。
【００５７】
一方、ステップ１１０では、上記ステップ１０４において読み出した文書データにより示される文書のレイアウトを解析して当該文書の各ページに含まれる文章部分や画像部分などの文書構成要素の領域を特定する。
【００５８】
なお、本実施の形態では、文書データにより示される文書における所定サイズ以上の空白領域を境界としてレイアウトを解析して文書構成要素の領域を特定する。
【００５９】
すなわち、例えば、文書データにより示される文書が図１２に示すように３つの画像Ｃ〜画像Ｅを含むものである場合、所定サイズ以上の空白領域を境界としてレイアウトを解析して画像Ｃ〜画像Ｅの領域を特定する。
【００６０】
次のステップ１１２では、上記ステップ１０４において読み出した文書データにより示される文書の各ページを、上記ステップ１１０において特定された文書構成要素の領域に区分けし、１ページ目の区分けした各領域のうち予め定めた順で最初の領域を表示した閲覧文書表示画面８０、及びページ送り画面９０をディスプレイ１２に表示させる。なお、本実施の形態では、上記予め定めた順は文書内において各領域の上辺の位置が上側に位置する領域から順に、上辺が同じ位置に位置する領域が複数ある場合は左辺の位置が左側に位置する領域から順に表示するものとする。
【００６１】
これにより、例えば、文書データにより示される文書が図１２に示すように３つの画像Ｃ〜画像Ｅを含むものであり、カスタムモードアイコン７４が選択された場合、図１３（Ａ）に示すように、区分パターン選択画面７０の表示領域８２には画像Ｃが表示され、ページ送り画面９０の選択アイコン表示部９６にはカスタムモードアイコン７４が表示される。
【００６２】
次のステップ１１４では、ページ送り画面９０の次ページボタン９２又は前ページボタン９４が選択されたか否かを判定し、肯定判定となった場合はステップ１１６へ移行する一方、否定判定となった場合はステップ１１８へ移行する。
【００６３】
ステップ１１６では、文書データにより示される文書を、ページ順に、選択されたボタンで指定された順に次の領域を区分パターン選択画面７０の表示領域８２に表示させ、ステップ１１４へ移行する。なお、次に表示可能な領域が無い場合は、表示可能な領域が無いこと示すメッセージをディスプレイ１２に表示させた後に、ステップ１１４へ移行する。
【００６４】
これにより、例えば、図７（Ａ）に示すように、区分パターン選択画面７０の表示領域８２に文書データにより示される文書の１枚目の上側に位置する領域が表示されている際に、次ページボタン９２が選択された場合、図７（Ｂ）に示すように、表示領域８２には１枚目の下側に位置する領域（２−ＵＰ印刷された２ページ目部分の領域）が表示される。
【００６５】
また、図９（Ａ）に示すように、閲覧文書表示画面８０の表示領域８２に文書データにより示される文書の１枚目の左側に位置する領域が表示されている際に、次ページボタン９２が選択された場合、図９（Ｂ）に示すように、表示領域８２には文書の１枚目の右側に位置する領域（２−ＵＰ印刷された２ページ目部分の領域）が表示される。
【００６６】
また、図１１（Ａ）に示すように、閲覧文書表示画面８０の表示領域８２に画像Ａが表示されている際に、次ページボタン９２が選択された場合、図１１（Ｂ）に示すように、表示領域８２には画像Ｂが表示される。
【００６７】
さらに、図１３（Ａ）に示すように、閲覧文書表示画面８０の表示領域８２に画像Ｃが表示されている際に、次ページボタン９２が選択された場合、図１３（Ｂ）に示すように、表示領域８２には画像Ｄが表示される。
【００６８】
一方、ステップ１１８では、終了ボタン８４が選択されたか否かを判定し、否定判定となった場合はステップ１１４へ移行する一方、肯定判定となった場合は処理終了となる。
【００６９】
以上のように本実施の形態によれば、閲覧対象とする文書データにより示される文書が、ページ順に、予め定められた領域毎に個別にディスプレイ１２に表示されるので、文書データにより示される文書の各ページの閲覧性が向上する。
【００７０】
なお、本実施の形態では、所定サイズ以上の空白領域を境界としてレイアウトを解析する場合について説明したが、本発明はこれに限定されるものではなく、例えば、図１４に示されるような複数の文章が記録された文書データにより示される文書の横方向の各ラインを１ラインずつ順に参照して所定数の空白となる部分を境界として図１５に示すように文書構成要素の領域を特定するものとしてもよい。
【００７１】
また、カスタムモードアイコン７４に代えて、図１６に示すように、文書データにより示される文書においてユーザが文書構成要素の境界となる位置を指定するオートモードアイコン７６を設けて、オートモードアイコン７６において指定された位置を境界として区分けし、区分けした各領域を表示させるものとしてもよい。
【００７２】
また、本実施の形態では、ＰＣ１０において文書データを閲覧する場合について説明したが、本発明はこれに限定されるものではなく、例えば、デジタル複合機２２において閲覧するものとしてもよい。
【００７３】
その他、本実施の形態で説明したＰＣ１０の構成（図２参照。）は一例であり、本発明の主旨を逸脱しない範囲内において適宜変更可能であることは言うまでもない。
【００７４】
また、本実施の形態で説明した文書閲覧プログラムの処理の流れ（図３参照。）も一例であり、本発明の主旨を逸脱しない範囲内において適宜変更可能であることは言うまでもない。
【００７５】
また、本実施の形態で説明した区分パターン選択画面７０、閲覧文書表示画面８０及びページ送り画面９０（図４、図５、図７、図９、図１１、図１３、図１５、及び図１６参照。）も一例であり、本発明の主旨を逸脱しない範囲内において適宜変更可能であることは言うまでもない。
【図面の簡単な説明】
【００７６】
【図１】実施の形態に係るＰＣを含むシステム全体構成を示す構成図である。
【図２】実施の形態に係るＰＣの概略構成を示すブロック図である。
【図３】実施の形態に係る文書閲覧プログラムの処理の流れを示すフローチャートである。
【図４】実施の形態に係る区分パターン選択画面の表示状態例を示す概略図である。
【図５】実施の形態に係る閲覧文書表示画面及びページ送り画面の表示状態例を示す概略図である。
【図６】実施の形態に係る２−ＵＰ印刷された文書の一例を示す概略図である。
【図７】実施の形態に係る図６に示す文書を表示した閲覧文書表示画面及びページ送り画面の表示状態例を示す概略図である。
【図８】実施の形態に係る２−ＵＰ印刷された文書の別な例を示す概略図である。
【図９】実施の形態に係る図８に示す文書を表示した閲覧文書表示画面及びページ送り画面の表示状態例を示す概略図である。
【図１０】実施の形態に係る２つの画像が印刷された文書の一例を示す概略図である。
【図１１】実施の形態に係る図１０に示す文書を表示した閲覧文書表示画面及びページ送り画面の表示状態例を示す概略図である。
【図１２】実施の形態に係る３つの画像が印刷された文書の一例を示す概略図である。
【図１３】実施の形態に係る図１２に示す文書を表示した閲覧文書表示画面及びページ送り画面の表示状態例を示す概略図である。
【図１４】実施の形態に係る複数の文章を含んだ文書の一例を示す概略図である。
【図１５】実施の形態に係る図１４に示す文書の文書構成要素の領域を特定した状態の一例を示す概略図である。
【図１６】実施の形態に係る図１４に示す文書の文書構成要素の境界となる位置を指定した状態の一例を示す概略図である。
【図１７】従来の２−ＵＰ印刷された文書を表示させた一例を示す概略図である。
【図１８】従来の２−ＵＰ印刷された文書の１ページ目の画像を拡大表示させた一例を示す概略図である。
【符号の説明】
【００７７】
１０  ＰＣ（情報処理装置）
１２  ディスプレイ（表示手段）
１４Ｂ  キーボード（受付手段）
１４Ａ  マウス（受付手段）
２４  スキャナ（取得手段）
４０  ＣＰＵ（制御手段、特定手段）
４６  ＨＤＤ（記憶手段）
６２  文書閲覧プログラム
ステップ１１４（指示待ちステップ）
ステップ１１６（表示制御ステップ）
【図１】
0004941179.tif 000002
【図２】
0004941179.tif 000003
【図３】
0004941179.tif 000004
【図４】
0004941179.tif 000005
【図５】
0004941179.tif 000006
【図６】
0004941179.tif 000007
【図７】
0004941179.tif 000008
【図８】
0004941179.tif 000009
【図９】
0004941179.tif 000010
【図１４】
0004941179.tif 000011
【図１５】
0004941179.tif 000012
【図１６】
0004941179.tif 000013
【図１７】
0004941179.tif 000014
【図１８】
0004941179.tif 000015
【図１０】
0004941179.tif 000016
【図１１】
0004941179.tif 000017
【図１２】
0004941179.tif 000018
【図１３】
0004941179.tif 000019